(57)【要約】セル選択デバイス（Ｄ）は、無線通信セルを含む無線通信ネットワークで無線通信を確立するとともに、当該ネットワークからセル環境及びこの環境の各セルのサービス能力を表すデータを受信するように構成された１つの無線通信装置（ＭＳ）に専用化されている。セル選択デバイス（Ｄ）は、当該装置（ＭＳ）が所要のネットワークサービスにアクセスする必要があるときに、当該装置（ＭＳ）によって受信され、且つ前記セル環境及び対応するセルサービス能力を表すデータをアクセスし、当該ネットワークサービスへのアクセスを可能とするこの環境における少なくとも１つセルがあるか否かを決定し、これらの決定したセルのうち選択したセルが満たされるべき少なくとも１つの所要の無線パラメータ基準を許容するものである場合には、当該選択したセルを介して当該ネットワークで無線通信を求めるか、又は確立するかのいずれかを行うように、当該装置（ＭＳ）に命ずるように構成した制御手段（ＣＭ）を備える。
2008543153.tif 000002
【特許請求の範囲】
【請求項１】
無線通信セルを含む無線通信ネットワークと無線通信を確立し、セル環境及び前記セル環境の各セルのサービス能力を表すデータを前記ネットワークから受信するように構成された１つの無線通信装置のためのセル選択デバイスにおいて、
前記無線通信装置が所要のネットワークサービスにアクセスすることが必要であるときに、前記無線通信装置によって受信され、且つ前記セル環境及び当該対応するセルサービス能力を表す当該データをアクセスし、
前記ネットワークサービスにアクセスすることを可能とする前記セル環境における少なくとも１つのセルがあるか否かを決定し、
これらの決定したセルのうち選択したセルが、満たされるべき少なくとも１つの所要の無線パラメータ基準を許容するものである場合に、当該選択したセルを介して前記ネットワークと無線通信を求めるか、又は確立することのいずれかを、前記無線通信装置に命ずるように構成された、制御手段を備えることを特徴とするセル選択デバイス。
【請求項２】
前記無線パラメータは、キャリアレベルであることを特徴とする、請求項１に記載のセル選択デバイス。
【請求項３】
前記キャリアレベルは、ＢＣＣＨキャリアレベルであることを特徴とする、請求項２に記載のセル選択デバイス。
【請求項４】
前記無線パラメータは、再選択パラメータＣ１及びＣ２を含み、前記制御手段は、前記無線通信装置が位置するセルのパラメータＣ２の値Ｃ２ｓを、前記所要のネットワークサービスを提示する各隣接セルの各対応する値Ｃ２ｎｉと比較し、前記値Ｃ２ｓが各値Ｃ２ｎｉに所要の閾値を加えた値を超える場合であって、且つ前記無線通信装置が位置するセルのパラメータＣ１の値Ｃ１ｓが０を超える場合に、最良値Ｃ２ｎｉを提示する隣接セルを選択するように構成されていることを特徴とする、請求項１〜３のいずれかに記載のセル選択デバイス。
【請求項５】
前記制御手段は、前記無線通信装置によって受信され、且つセル環境及びセルサービス能力を表す当該データと、当該関連付けられた無線パラメータとをメモリ手段に格納するように構成されていることを特徴とする、請求項１〜４のいずれか一項に記載のセル選択デバイス。
【請求項６】
前記制御手段は、少なくとも２つのネットワークサービス群にて指定された所要のネットワークサービスのためのセル選択の実行を設定するように構成されていることを特徴とする、請求項１〜５のいずれか一項に記載のセル選択デバイス。 
【請求項７】
前記制御手段は、指定された所要のネットワークサービスのためのセル選択を実行するように構成されていることを特徴とする、請求項１〜６のいずれか一項に記載のセル選択デバイス。
【請求項８】
前記制御手段は、１つの選択されたネットワークサービスのためのセル選択を自動的に実行するように構成されていることを特徴とする、請求項１〜７のいずれか一項に記載のセル選択デバイス。
【請求項９】
前記所要のネットワークサービスは、ユーザプロファイルによって規定されていることを特徴とする、請求項７又は８のいずれか一項に記載のセル選択デバイス。
【請求項１０】
前記ネットワークサービスは、ＧＰＲＳ規格及びＥＤＧＥ規格及び／又はＵＭＴＳ規格によってサポートされていることを特徴とする、請求項１〜９のいずれか一項に記載のセル選択デバイス。
【請求項１１】
請求項１〜１０のいずれか一項に記載のセル選択デバイスを備えることを特徴とする、無線通信セルを含む無線通信ネットワーク用の無線通信装置。
【請求項１２】
前記セル選択デバイスに結合したマン／マシンインターフェースを備え、前記マン／マシンインターフェースは、ユーザが前記セル選択デバイスをイネーブル又はディセーブルするようにナビゲートすることを可能とするメニューを含むことを特徴とする、請求項１１に記載の無線通信装置。
【請求項１３】
前記メニューは、前記ユーザが前記セル選択デバイスを設定することを可能とするように構成されていることを特徴とする、請求項１２に記載の無線通信装置。
【発明の詳細な説明】
【技術分野】
【０００１】
本発明は、無線通信ネットワークのドメインに関し、特に、異なるネットワークサービスへの複数の無線通信装置のアクセシビリティに関する。
【背景技術】
【０００２】
以下、無線通信装置は、無線通信ネットワークで無線通信を確立するように構成された一種の装置として理解されるべきものであることを意図しており、とりわけ無線通信機器を備えた携帯電話及び携帯情報端末（ＰＤＡ）又はラップトップなどを意味する。これらの複数の無線通信装置は、モバイルステーション（ＭＳ）又はユーザ装置（ＵＥ）と呼ばれることもよくある。
【０００３】
現在、益々多くの通信規格が共存し、又は同一の或るネットワークにおいて、或いは互いに接続した複数のネットワークにおいて共存しようとしている。これらの規格には、とりわけ２Ｇ規格（ＧＳＭなど）、２．５Ｇ規格（ＧＰＲＳ）、２．７５Ｇ規格（ＥＤＧＥなど）、及び３Ｇ規格（ＵＭＴＳなど）を列挙することができる。
【０００４】
或る規格から別の規格への遷移は、同等な技術関係にあるときには、“容易”タスクであるかもしれない。これは、とりわけ２Ｇ規格から２．５Ｇ規格への遷移の場合である。これらの規格は同一のタイプの変調方式（ＧＭＳＫ）を効果的に用いており、当該遷移が新たなソフトウェアリリースで（無線アクセスネットワークの）基地局のアップデートを主に必要とするようにしている。
【０００５】
しかしながら、新たな規格が、新たな変調方式（ＥＤＧＥの場合の８ＰＳＫなど）又は新たな無線アクセスモード（ＵＭＴＳの場合のように）のいずれかを用いる場合には、当該遷移は、極めて複雑となり高価となる。例えば、ＧＰＲＳからＥＤＧＥへの遷移は、新たなソフトウェア及びハードウェアのリリースで、無線アクセスネットワークの基地局（ＢＴＳ）及び基地局コントローラ（ＢＳＣ）の双方をアップデートすることが必要になる。それ故、全体のネットワークのアップデートには数年を要し、その数年の間は、ＧＰＲＳ基地局と関連付けられたセルは、それらに接続された複数の無線通信装置に対してＥＤＧＥ基地局と関連付けられたセルによって提示されるネットワークサービス（例えば高スループット又は高データビットレートのもの）に対する無線アクセスを提示することができない。ＧＰＲＳ又はＥＤＧＥからＵＭＴＳへの遷移は、新たなネットワーク開発を必要とするので、より一層複雑である。
【０００６】
この状況は、ＧＳＭ／ＧＰＲＳ／ＥＤＧＥモードなどのマルチモード機能、又はＧＳＭ／ＧＰＲＳ／ＥＤＧＥ／ＵＭＴＳモード（２つの無線通信サブシステムによる）さえも提示する複数の無線通信装置のユーザに不利益をもたらすことになる。
【０００７】
事実上、当業者に知られるように、１つの無線通信装置が、セルを介して、周囲のセルから受信するダウンリンク信号（通常、ＢＣＣＨキャリア）の無線パラメータのレベルに依存してネットワークにアクセスし、セルを選択するように構成される。換言すれば、１つの無線通信装置は、無線パラメータのレベルの最高値を一時的に提示するセルを選択し、ダウンリンク信号を確実にデコードして最も高い確率のアップリンク通信を持つように動作する。このため、ＥＤＧＥセル又はＵＭＴＳセルは、より良好な無線パラメータのレベルを提示するＧＰＲＳセルによって“隠れ”となり、従って当該装置のユーザがＥＤＧＥ又はＵＭＴＳのネットワークサービスにアクセスすることが禁じられることになる。
【発明の開示】
【発明が解決しようとする課題】
【０００８】
それ故、本発明の目的は、上述の状況を改善することにある。
【０００９】
このため、無線通信セルを含む無線通信ネットワークで無線通信を確立するとともに、当該ネットワークから当該装置のセル環境及び当該環境の各セルのサービス能力を表すデータを受信するように構成された複数の無線通信装置のためのセル選択デバイスを提供する。
【課題を解決するための手段】
【００１０】
本発明のセル選択デバイスは、当該装置によって受信され、且つ当該セル環境及び対応するセルサービスキャパビリティを表すデータを受信するとともに、当該装置が所要のネットワークサービスにアクセスすることが必要となるときに、前記所要のネットワークサービスにアクセスすることを可能とする環境に少なくとも１つのセルが存在するか否かを決定し、これらの決定したセルのうち選択したセルを介して、当該選択したセルが少なくとも１つの選択した所要の基準が満たされるのを許容する場合に、当該ネットワークに無線通信を求めるか又は確立するかのいずれかを当該装置に命じるように構成された制御手段を備えることを特徴とする。
【００１１】
本発明によるセル選択デバイスは、選択的に、又は組み合わせて構成される、とりわけ以下のような追加の機能を有することができる。
当該無線パラメータは、キャリアレベルとすることができること（例えば、ＢＣＣＨのもの）。
当該無線パラメータは、キャリアレベルを含む再選択パラメータＣ１及びＣ２とすることができること（これは、３ＧＰＰ仕様ＴＳ０５．０８  Ｖ８．１９．０（２００３−１１）６．４章によって規定されている。）。この場合、制御手段は、当該携帯電話が位置するセルのパラメータＣ２の値Ｃ２ｓを、所要のネットワークサービスを提示する各隣接セルの各対応する値Ｃ２ｎｉと比較するように構成されるとともに、当該値Ｃ２ｓが所要の閾値を加えた各値Ｃ２ｎｉである場合であって、且つ、当該携帯電話が位置するセルのパラメータＣ１の値Ｃ１ｓが０を超える場合に、最良値Ｃ２ｎｉを提示する隣接セル（ｎｉ）を選択するように構成されていること。
当該制御手段は、当該データ（当該装置によって受信され、セル環境及び対応するセルサービス能力を表すデータ）と当該関連付けられたパラメータをメモリ手段に格納するように構成することができること。
当該制御手段は、少なくとも２つのネットワークサービス群から指定した所要のネットワークサービスのためのセル選択の実行のために設定するように構成することができること。
当該制御手段は、指定した所要のネットワークサービスのためのセル選択を実行するように構成することができること。
当該指定のネットワークサービスは、ユーザプロファイルによって規定することができること。
当該ネットワークサービスは、ＧＰＲＳ規格及びＥＤＧＥ及び／又はＵＭＴＳ規格によってサポートされているものとすることができること。
【００１２】
また、本発明は、前述したようなセル選択デバイスを備える１つの無線通信装置を提供する。
【００１３】
例えば、そのような装置は、携帯電話とすることができる。更に、本装置は、セル選択デバイスと結合したマン／マシンインターフェース（ＭＭＩ）を備えることができ、ＭＭＩは、ユーザがセル選択デバイスをイネーブル又はディセーブルするのをナビゲートするメニューを備える。また、本メニューは、ユーザがセル選択デバイスを設定することが可能なように構成することができる。
【００１４】
本発明の他の特徴及び利点は、以下の発明の詳細な説明及び図面から明らかになる。
【発明を実施するための最良の形態】
【００１５】
本発明は、無線通信ネットワーク（リリース９９（Ｒ９９）及びそれに続くリリース）によって提示される所要のネットワークサービスに依存して、１つの無線通信装置へのセル選択性を提供することにある。
【００１６】
以下の説明において、無線通信装置は、携帯電話、例えばデュアルモードＧＰＲＳ／ＥＤＧＥ用携帯電話と考えることができる。しかしながら、本発明は、この種類の装置に限定するものではない。例えば、マルチモードＧＳＭ／ＧＰＲＳ／ＥＤＧＥ／ＵＭＴＳ用携帯電話、或いは通信デバイスを備えるラップトップ又はＰＤＡ（携帯情報端末）とすることもできる。
【００１７】
ＧＰＲＳ／ＥＤＧＥなどの無線通信ネットワークは、図式的な方法で総括することができるが、本発明の理解に十分なように、無線アクセスネットワーク（即ち、ＢＳＳ）に結合されるコアネットワークについて説明する。
【００１８】
無線アクセスネットワークは、中間にプライベート伝送ネットワークを介して接続される、基地局（即ち、ＢＴＳ）及び無線ネットワークコントローラ（即ち、ＲＮＣ）を含む。
【００１９】
各基地局（即ち、ＢＴＳ）は、携帯電話が無線通信を確立し、又は求めることができる無線ゾーンをカバーするセルと関連付けられている。
【００２０】
無線ネットワークコントローラは（即ち、ＲＮＣ）は、少なくとも１つの基地局を制御するように構成されている。無線ネットワークコントローラ（即ち、ＲＮＣ）は、主に、リソース割り当て管理を担っており、携帯電話とコアネットワークとの間でＲＮＣがそれぞれ制御する基地局を介してネットワークサービスを確立することができるようにする。
【００２１】
例えば、ネットワークサービスは、コアネットワークと携帯電話との間でデータを伝送するように用いることができるコネクション（即ち、リンク）である。高スループットを要求する幾多のネットワークサービスの中で、ＭＭＳ（マルチメディアメッセージサービス）、ビデオストリーミング、インターネット・アクセス、モバイルのテレビ（ＴＶ）、及びＭＰＥＧメロディダウンロードを列挙することができる。
【００２２】
図１に模範的に図示するように、携帯電話ＭＳは、データ交換のために無線アクセスネットワークを介してモバイルネットワークとの無線通信を確立するように構成される通信デバイスＣＤ（又はモジュール）に結合されたアンテナＡＮを備える。本例の説明において、通信デバイスＣＤは、ＧＰＲＳ規格及びＥＤＧＥ規格の双方に適合ささえたものである。従って、モバイルネットワークとのアクセスを確立したときにＧＰＲＳ又はＥＤＧＥセルを介してＧＰＲＳ又はＥＤＧＥネットワークサービスへのアクセスを提示することができる。
【００２３】
通信デバイスＣＤは、とりわけ、無線アクセスネットワークから、携帯電話のセル環境及びこのセル環境の各セルのサービス能力を表すデータを受信するように構成される。
【００２４】
携帯電話のセル環境を表すデータは、放送制御チャネル（ＢＣＣＨ）と称される論理チャネルを介して基地局（ＢＴ）によって、空気界面で定期的に放送される。これらのデータは、携帯電話ＭＳが位置する無線適用範囲のセルを取り囲むセルについて記述している。
【００２５】
セルサービス能力を表すデータも、３ＧＰＰ仕様ｔ４４．０１８Ｖ４．１５．１（２００３−１２）で合意される論理チャネルＢＣＣＨを介して基地局（ＢＴＳ）によって、空気界面で定期的に放送される。このデータ放送は、通常、定期的に３０秒毎に行われる。放送データはＧＰＲＳ及びＥＤＧＥセルのオプションを記述しており、特に、上述の３ＧＰＰ仕様のテーブル９．１．４３．ａ．１／３に示されるように、どのセルがＧＰＲＳ又はＥＤＧＥサービスをサポートするかを指示しており、更には、インフォメーションエレメント（Ｉｎｆｏｒｍａｔｉｏｎ  Ｅｌｅｍｅｎｔ）の最終フィールドに、“ＳＩ  １３  レスト  オクテット（Ｒｅｓｔ  Ｏｃｔｅｔ）”を指示している（ＴＳ４４．０１８のテーブル１０．５．２．３７ｂ．１に記述されており、ＴＳ４４．０６０Ｖ４．１４．９（２００３−１２）の仕様のシンタックスに従って符号化されている。）。
【００２６】
必要とされるときに、携帯電話ＭＳが所要のネットワークサービスにアクセスすることができるように、本発明は、セル選択デバイスＤを提供する。
【００２７】
本セル選択デバイスＤは、携帯電話ＭＳが所要のネットワークサービスにアクセスすることが必要となるたびに介在する、少なくとも１つの制御モジュールＣＭを備える。従って、制御モジュールＣＭは通信デバイスＣＤと好適に統合され、例えば通信の確立を担う無線リソース層で統合される。
【００２８】
本制御モジュールＣＭは、通信デバイスＣＤによって受信した、セル環境のデータ及び対応するセルサービス能力のデータ（以下、“セル情報データ”と称する。）にアクセスし、所要のネットワークサービスにアクセス可能とする携帯電話の環境に対して、１つ以上のセルが存在するか否かを決定するように構成する。この決定が為されると、制御モジュールＣＭは、当該決定したセルのうちから選択したセルを介して当該ネットワークとの通信を求めるか、又は確立するかのいずれかを通信デバイスＣＤに命ずる。選択したセルは、決定したセルのうちの１つであり、満たされるべき少なくとも１つの所要の無線パラメータ基準を許容するものである。
【００２９】
換言すれば、制御モジュールＣＭによって選択され、携帯電話ＭＳによって選択したネットワークサービスにアクセスするのに用いることになるセルは、この所要のネットワークサービスへのアクセスを提示するとともに、当該無線パラメータ基準（即ち、評価基準）を満たす周囲のセルである。
【００３０】
それ故、セルを選択するために、制御モジュールＣＭは、所要のネットワークサービスへのアクセスを提示する周囲のセルの各々を決定し、次に基準を特に満たすセルを選択することによってアクセスを開始することができる。変形例では、制御モジュールＣＭは、基準を満たす周囲のセルの各々を決定し、次に所要のネットワークサービスへのアクセスを提示するセルを選択することによってアクセスを開始することもできる（少なくとも２つのセルがこのアクセスを提示する場合、制御モジュールＣＭは、特に当該無線パラメータ基準を満たすセルを選択する。）。
【００３１】
無線パラメータは、周囲の（又は隣接の）セルの基地局によってセル情報データを伝送するのに用いられるキャリアレベルを含む、通例の再選択パラメータＣ１及びＣ２とすることができる（それは、３ＧＰＰ仕様ＴＳ０５．０８  Ｖ８．１９．０（２００３−１１）６．４章によって規定されている。）。例えば、ＢＣＣＨキャリアレベルを用いることができる。しかし、これは義務的ではない。実際に、携帯電話ＭＳによって計算される如何なる種類の無線基準（ＣＲ）を用いることができる。
【００３２】
制御モジュールＣＭは、（通信デバイスＣＤによって計算される）再選択パラメータＣ１及びＣ２を携帯電話ＭＳが位置する（機能化した）セルの無線パラメータとして用いるときに、ｉ番目の隣接セルｎｉ（例えば、ｉ＝１〜６）に対応するＣ２ｎｉを決定する。次に、所要のサービス（例えば、ＥＤＧＥサービス）を提示する各隣接セルｎｉが、Ｃ２ｓ＞Ｃ２ｎｉ＋閾値を満たす場合であって、同時にＣ１ｓが０を超える（Ｃ１ｓ＞０）である場合に、制御モジュールＣＭは、最良のＣ２ｎｉを提示するセルを選択する。
【００３３】
制御モジュールＣＭは、通信デバイスＣＤによって受信され、且つセル選択に役立つセル情報データ、及び関連付けられた無線パラメータをメモリＭＹに格納するように構成することができる。如何なる種類のメモリ手段も想定することができる。図１に図示するように、このメモリＭＹは、セル選択デバイスＤの一部とすることができる。しかし、変形例では、このメモリＭＹは、通信デバイスＣＤの一部としてもよい。
【００３４】
セル情報データ及び対応する無線パラメータは、通信デバイスＣＤによってそれらを受信するたびに、セル選択デバイスＤへと自動的に供給するようにすることができる。
【００３５】
そのようなメモリＭＹは、制御モジュールＣＭによるセル選択を容易にする。なぜなら、制御モジュールＣＭは、セル選択が必要とされるときにセル情報データを決定するのに、このメモリＭＹにアクセスする必要が生じるのみであるからである。このメモリＭＹが無ければ、制御モジュールＣＭは、要求されるセル選択を実行する前に、通信デバイスＣＤが放送されるセル情報データを受け取ったのを待たなければならないであろう。
【００３６】
図２は、セル選択アルゴリズムの一例を示す図であり、本発明によるデバイスＤにより１つの無線通信装置において実現することができる。このセル選択は、受信したＢＣＣＨキャリアレベルの上述の比較方法に基づいているが、別の無線パラメータ基準を用いることができる。
【００３７】
ステップ１０では、現在のセルが所要のネットワークサービスを提示しないので、通信デバイスＣＤは、セル選択デバイスＤに、この所要のネットワークサービスへのアクセスを提示するセル（ｎｉ）の選択を開始するように命じる。
【００３８】
ステップ２０で、制御モジュールＣＭは、セル情報データ（例えば、メモリＭＹに格納されている。）から、所要のネットワークサービスへのアクセスを提示することができる周囲のセルの各々を決定する。
【００３９】
制御モジュールＣＭは、所要のネットワークサービスへのアクセスを提示することができるセルを全く見つけることができない場合には、制御モジュールＣＭは、隣接セルが所要のネットワークサービスへのアクセスを提供するのに利用可能でない旨を、通信デバイスＣＤに知らせる。次に、当該アルゴリズムは、直接ステップ６０へと進み、通信デバイスＣＤは、当該装置が接続されているセルを介して進行中の無線通信を求めるか、又は最良のキャリアレベルを提示するセルを介して無線通信を確立するかのいずれかを行う。いずれの場合も、携帯電話ＭＳは、所要のネットワークサービスにアクセスすることができない。
【００４０】
ここで、制御モジュールＣＭが、所要のネットワークサービスへのアクセスを提示することができる１つ以上のセルを見つけた場合、次に、制御モジュールＣＭは、ステップ３０へと進み、これらのセルのうちのいずれが無線パラメータ基準を満たすか否かを決定する。尚、無線パラメータは、ＢＣＣＨキャリアレベルを想定している（しかし、これは一例にすぎないものである。）。
【００４１】
これらのセルのうち、いずれも無線パラメータ基準を満たさない場合には、制御モジュールＣＭは、隣接セルが所要のネットワークサービスへのアクセスを提供するのに利用可能でない旨を、通信デバイスＣＤに知らせる。次に、当該アルゴリズムは、直接ステップ６０に進み、通信デバイスＣＤは、それが接続されているセルを介して進行中の無線通信を求めるか、又は最良のキャリアレベルを提示するセルを介して無線通信を確立するかのいずれかを行う。いずれの場合も、携帯電話ＭＳは、所要のネットワークサービスにアクセスすることができない。
【００４２】
制御モジュールＣＤが、当該基準を満たす１つ以上のセルを見つけた場合には、この基準を特に満たすセルを選択し、ステップ４０に進む。
【００４３】
ステップ４０で、制御モジュールＣＭは、ステップ３０で選択したセルを介して、当該ネットワークとの無線通信を求めるか、又は確立するかのいずれかを、通信デバイスＣＤに命じる。
【００４４】
次に、ステップ５０で、通信デバイスＣＤは、選択したセルを介して当該ネットワークと新たな通信の確立を開始するか、又は選択したセルへの進行中の通信の転送を開始するかのいずれかを行う。
【００４５】
次に、当該アルゴリズムは、ステップ６０で終了し、通信デバイスＣＤは、所要のネットワークサービスによってデータを転送するために、進行中の無線通信を求めるか、又は選択したセルを介して無線通信を開始するかのいずれかを行う。
【００４６】
携帯電話ＭＳがアクセスを所望するネットワークサービスは、ユーザによってか、又は携帯電話ＭＳ（ユーザのニーズを考慮して、可能性としてユーザプロファイルによって規定する。）によって選択するか、又は予め定めておくことができる。
【００４７】
実際に、制御モジュールＣＭは、携帯電話ＭＳ（例えば、通信デバイスＣＤ）によって幾つかのネットワークサービスから指定されるネットワークサービスのセル選択を実行するように設定することができる。
【００４８】
その第１変形例では、指定したネットワークサービスは、ユーザによって規定されるユーザプロファイルによって指定することができ、携帯電話ＭＳ（可能性としてメモリＭＹ）に格納することができる。この場合、制御モジュールＣＭは、ユーザプロファイルによって指定される（所要の）所定のネットワークサービスのためのセル選択を自動的に実行するように設定される。
【００４９】
ユーザがユーザプロファイルを規定するために、携帯電話ＭＳは、マン／マシンインターフェースＭＭＩを備えることができる。この場合、マン／マシンインターフェースＭＭＩは、ユーザプロファイル定義に専用化した項目を有するメニューを含むことができる。
【００５０】
第２変形例では、制御モジュールＣＭは、ユーザによって指定されたネットワークサービスのセル選択を実行するように設定することができる。このため、携帯電話ＭＳは、上述したマン／マシンインターフェース（ＭＭＩ）を用いることができる。しかし、後者は、セル選択デバイスＤと結合する必要があり、ＭＭＩは、ユーザによって設定されたセル選択デバイスに専用化したメニュー項目を含む。
【００５１】
また、当該メニューは、ユーザがセル選択デバイスＤをイネーブル又はディセーブルすることを可能とする専用化した別の項目を含むことができる。イネーブルモードでは、セル選択デバイスＤは、携帯電話ＭＳが必要とするたびに、自動的にセル選択に進む。ディセーブルモードでは、セル選択デバイスＤは、セル選択に進むことを許容しない。従って、通信デバイスＣＤは、古典的な動作をする。
【００５２】
セル選択デバイスＤ、特に制御モジュールＣＭ及び可能性としてメモリＭＹは、チップ製造の任意の技法にて実現可能な集積回路（例えばＡＳＩＣ）とすることができる（ＡＳＩＣの部分とすることができる）。しかしながら、ソフトウェアとして実現することもでき、又は、ハードウェア及びソフトウェアモジュールの組み合わせとしても実現することができる。
【００５３】
本発明は、前述の実施例は一例としてのみ説明したものであり、上述のセル選択デバイス及び無線通信装置の実施例に限定するではなく、特許請求の範囲に規定される範囲内で、当業者によって想到することができる全ての別の実施例を含む。
【図面の簡単な説明】
【００５４】
【図１】本発明によるセル選択デバイスの実施例を備える携帯電話を模範的に示す図である。
【図２】本発明による１つの無線通信装置にて実現することができるセル選択アルゴリズムの一例を示す図である。
【図１】
2008543153.tif 000003
【図２】
2008543153.tif 000004
【国際調査報告】
2008543153.tif 000005
2008543153.tif 000006
2008543153.tif 000007